(57)【特許請求の範囲】
【請求項１】
建物内の居住空間の少なくとも１室の雰囲気温度及び建物周囲の外気温を検知する温度検知手段と、前記温度検知手段により検知した居住空間の少なくとも１室の雰囲気温度と外気温の温度差を演算する演算手段とを備え、使用者の移動先を選択する移動先選択手段と、移動元と移動先の温度差から着脱する着衣を決定する着衣決定手段を設け、前記演算手段は選択された移動先と移動元の温度差の演算を行い、前記着衣決定手段で決定した着衣を表示する着衣表示手段を備え、使用者の感覚特性を入力する入力手段と、入力された感覚特性を記憶する特性記憶手段を設け、前記着衣決定手段は前記特性記憶手段で記憶した感覚特性により補正して着衣を決定することを特徴とする生活アドバイスシステム。
【請求項２】
建物内の居住空間の少なくとも１室の雰囲気温度及び建物内の非居住空間の少なくとも１箇所の雰囲気温度を検知する温度検知手段と、前記温度検知手段により検知した雰囲気温度の温度差を演算する演算手段とを備え、使用者の移動先を選択する移動先選択手段と、移動元と移動先の温度差から着脱する着衣を決定する着衣決定手段を設け、前記演算手段は選択された移動先と移動元の温度差の演算を行い、前記着衣決定手段で決定した着衣を表示する着衣表示手段を備え、使用者の感覚特性を入力する入力手段と、入力された感覚特性を記憶する特性記憶手段を設け、前記着衣決定手段は前記特性記憶手段で記憶した感覚特性により補正して着衣を決定することを特徴とする生活アドバイスシステム。
【請求項３】
使用者の目的地の気象情報入力手段を備えた請求項１記載の生活アドバイスシステム。
【請求項４】
使用者を識別する入力手段を備えた請求項１から３いずれかに記載の生活アドバイスシステム。
【請求項５】
使用者の生理量平常値を前もって入力する入力手段と、入力された生理量平常値を記憶する生理量記憶手段と、現在の生理量を検知する生理量検知手段と、生理量平常値と現在の生理量から体調を判断する体調判断手段を設け、着衣決定手段は前記体調判断手段により判断された体調で補正して着衣を決定、あるいは外出の注意表示を行うことを特徴とする請求項１から４いずれかに記載の生活アドバイスシステム。
【請求項６】
着衣表示手段に表示された着衣の適否結果を入力する入力手段を設け、着衣決定手段は前記入力手段に入力された着衣の適否結果により学習する学習機能を備えたことを特徴とする請求項１から５いずれかに記載の生活アドバイスシステム。
【発明の詳細な説明】
【技術分野】
【０００１】
本発明は、気象変化が及ぼす日常生活環境の変化に対応するための情報告知装置に関する。
【背景技術】
【０００２】
従来、屋内においては空調装置の普及と発達によって生活環境は快適に保たれるが、屋外においては新聞やテレビ・ラジオ等の天気情報による屋外環境情報に基づき身支度をするものである。この屋外環境情報を室内の居住者に通知するものとしての空気調和機が知られている（例えば、特許文献１参照）。
【０００３】
以下、その空気調和機について図４を参照しながら説明する。
【０００４】
図に示すように、この空気調和機の室外機１０１は、花粉センサ１０２、紫外線センサ１０３、ダストセンサ１０４、湿度センサ１０５及び気圧センサ１０６を搭載している。、花粉センサ１０２、紫外線センサ１０３、ダストセンサ１０４、湿度センサ１０５及び気圧センサ１０６で検出された屋外の環境情報は、室外機１０１の送信部１０７から連絡配線１０８を介して室内機１０９の受信部１１０に送られた後、判定部１１１を経由し、リモコン用送信部１１２からリモコン１１３に送信される。リモコン１１３は、リモコン用送信部１１２からの信号に基づいて、リモコン１１３のモニター１１４に屋外の環境情報が表示される。
【特許文献１】特開２００２−１８８８４４号公報（第３―４頁、第２図）
【発明の開示】
【発明が解決しようとする課題】
【０００５】
このような従来の空気調和機による屋外環境情報の表示は、花粉情報の場合には、ふとん干しの適否、紫外線情報の場合には、日焼け止めクリームの使用や日傘の要否等、主に屋内における家事に関して屋外の環境情報を知るために、家事を一旦中断して外を覗いたりすることなく家事の効率向上を目的とすることを特徴としており、外出時や、屋内での室間移動における熱的ストレスについては考えられていないという課題があり、外出や室間移動に際しての着衣並びに携帯物及び行動等の判断に役立つ環境情報告知が要求されている。
【０００６】
本発明はこのような従来の課題を解決するもので、屋内外環境の情報から室間移動及び外出に際しての身支度から行動に関しての判断情報を、主として屋内外における温度差を個人の特性に応じて告知すること、特に高齢者等感覚や判断の鈍った人に対しては具体的な着衣を告知することで、室間移動及び外出のための身支度と行動を的確にアドバイスし、在宅時をはじめ外出先においても適切な着衣により熱的ストレスを緩和し、風邪等の予防が行える、健康に配慮した生活アドバイスシステムを提供することを目的としている。
【課題を解決するための手段】
【０００７】
本発明の生活アドバイスシステムは上記目的を達成するために、建物内の居住空間の少なくとも１室の雰囲気温度及び建物周囲の外気温を検知する温度検知手段と、前記温度検知手段により検知した居住空間の少なくとも１室の雰囲気温度と外気温の温度差を演算する演算手段とを備え、使用者の移動先を選択する移動先選択手段と、移動元と移動先の温度差から着脱する着衣を決定する着衣決定手段を設け、演算手段は選択された移動先と移動元の温度差の演算を行い、前記着衣決定手段で決定した着衣を表示する着衣表示手段を備え、使用者の感覚特性を入力する入力手段と、入力された感覚特性を記憶する特性記憶手段を設け、着衣決定手段は前記特性記憶手段で記憶した感覚特性により補正して着衣を決定することを特徴とするものである。
【０００８】
この手段により、屋内外における温度差が把握でき、外出のための身支度等の行動を的確に判断でき、高齢者等感覚や判断の鈍った人に対し、身支度等の行動に関して適切な助言ができ、使用者の感覚特性に適した身支度等の行動を決定し、助言できる生活アドバイスシステムが得られる。
【０００９】
また他の手段は、建物内の居住空間の少なくとも１室の雰囲気温度及び建物内の非居住空間の少なくとも１箇所の雰囲気温度を検知する温度検知手段と、前記温度検知手段により検知した雰囲気温度の温度差を演算する演算手段とを備え、使用者の移動先を選択する移動先選択手段と、移動元と移動先の温度差から着脱する着衣を決定する着衣決定手段を設け、演算手段は選択された移動先と移動元の温度差の演算を行い、前記着衣決定手段で決定した着衣を表示する着衣表示手段を備え、使用者の感覚特性を入力する入力手段と、入力された感覚特性を記憶する特性記憶手段を設け、着衣決定手段は前記特性記憶手段で記憶した感覚特性により補正して着衣を決定することを特徴とするものである。
【００１０】
この手段により、屋内の各部屋間の温度差が把握でき、室間移動の身支度等の行動を的確に判断ができ、高齢者等感覚や判断の鈍った人に対し、身支度等の行動に関して適切な助言ができ、使用者の感覚特性に適した身支度等の行動を決定し、助言できる生活アドバイスシステムが得られる。
【００１１】
また他の手段は、使用者の目的地の気象情報入力手段を備えたものである。
【００１２】
これにより、旅行先等目的地の気象状況が把握でき、旅行などの準備に関して助言をできる生活アドバイスシステムが得られる。
【００１７】
また他の手段は、使用者を識別する入力手段を備えたものである。
【００１８】
この手段により、家族全員、年齢、性別及び嗜好の異なる使用者の特性に適した身支度等の行動を決定し、助言できる生活アドバイスシステムが得られる。
【００１９】
また他の手段は、使用者の生理量平常値を前もって入力する入力手段と、入力された生理量平常値を記憶する生理量記憶手段と、現在の生理量を検知する生理量検知手段と、生理量平常値と現在の生理量から体調を判断する体調判断手段を設け、着衣決定手段は前記体調判断手段により判断された体調で補正して着衣を決定、あるいは外出の注意表示を行うものである。
【００２０】
この手段により使用者その時々の体調に応じて着衣や外出の注意表示を行うことができる生活アドバイスシステムが得られる。
【００２１】
また他の手段は、着衣表示手段に表示された着衣の適否結果を入力する入力手段を設け、着衣決定手段は前記入力手段に入力された着衣の適否結果により学習する学習機能を備えたものである。
【００２２】
この手段により、使用者の感覚特性を学習し、身支度等の行動に関して、より適切な助言ができる生活アドバイスシステムが得られる。
【発明の効果】
【００２３】
本発明によれば、自分で判断して行動（例えば衣類の調整など）ができる使用者に対しては、温度差を知らせることにより、外出や居室間移動時の適切な行動を支援し、特に寒暑時の着衣に対しては、極度の発汗や震えのないよう、温熱的快適性を向上し、風邪等を予防する効果のある生活アドバイスシステムを提供できる。
【００２４】
また、寒暑に対する皮膚感覚の感度が減退し、行動範囲が狭くかつ外出の頻度が少なくなり、体調の個人差が大きい高齢者に対しては、着衣・携帯物の身支度から行動に関しての適切な助言ができることにより、高齢者の行動範囲や外出頻度の増大と共に風邪等を予防、する効果のある生活アドバイスシステムを提供できる。
【発明を実施するための最良の形態】
【００２５】
本発明の請求項１記載の発明は、建物内の居住空間の少なくとも１室の雰囲気温度及び建物周囲の外気温を検知する温度検知手段と、前記温度検知手段により検知した居住空間の少なくとも１室の雰囲気温度と外気温の温度差を演算する演算手段とを備え、使用者の移動先を選択する移動先選択手段と、移動元と移動先の温度差から着脱する着衣を決定する着衣決定手段を設け、演算手段は選択された移動先と移動元の温度差の演算を行い、前記着衣決定手段で決定した着衣を表示する着衣表示手段を備え、使用者の感覚特性を入力する入力手段と、入力された感覚特性を記憶する特性記憶手段を設け、着衣決定手段は前記特性記憶手段で記憶した感覚特性により補正して着衣を決定することを特徴としたものであり、居間等通常の居室と屋外の温度差を算定することにより、高齢者等感覚や判断の鈍った人に対し、適切な着衣を決定し、熱的ストレスを緩和するという作用を有し、着衣の決定に使用者の特性を考慮することにより、使用者に対する着衣の適合性を向上するという作用を有する。
【００２６】
また請求項２記載の発明は、建物内の居住空間の少なくとも１室の雰囲気温度及び建物内の非居住空間の少なくとも１箇所の雰囲気温度を検知する温度検知手段と、前記温度検知手段により検知した雰囲気温度の温度差を演算する演算手段とを備え、使用者の移動先を選択する移動先選択手段と、移動元と移動先の温度差から着脱する着衣を決定する着衣決定手段を設け、演算手段は選択された移動先と移動元の温度差の演算を行い、前記着衣決定手段で決定した着衣を表示する着衣表示手段を備え、使用者の感覚特性を入力する入力手段と、入力された感覚特性を記憶する特性記憶手段を設け、着衣決定手段は前記特性記憶手段で記憶した感覚特性により補正して着衣を決定することを特徴としたものであり、居間等通常の居室と非居住空間の温度差を算定することにより、高齢者等感覚や判断の鈍った人に対し、適切な着衣を決定し、熱的ストレスを緩和するという作用を有し、着衣の決定に使用者の特性を考慮することにより、使用者に対する着衣の適合性を向上するという作用を有する。
【００２７】
また請求項３記載の発明は、使用者の目的地の気象情報入力手段を備えたものであり、インターネット等を利用することにより、旅行等の広域な行動範囲に際しての判断の基となる気象情報が得られ、旅行等の準備（持ち物の決定等）に役立つという作用を有する。
【００３０】
また請求項４の発明は、使用者を識別する入力手段を備えたものであり、複数の使用者の利用を可能にするという作用を有する。
【００３１】
また請求項５記載の発明は、使用者の生理量平常値を前もって入力する入力手段と、入力された生理量平常値を記憶する生理量記憶手段と、現在の生理量を検知する生理量検知手段と、生理量平常値と現在の生理量から体調を判断する体調判断手段を設け、着衣決定手段は前記体調判断手段により判断された体調で補正して着衣を決定、あるいは外出の注意表示を行うものであり、使用者の現在の体調を考慮し身支度等の行動を決定することにより、より適切な身支度等の行動を助言でき、生理量の異常を自覚できない場合には危険回避という作用を有する。
【００３２】
また請求項６記載の発明は、着衣表示手段に表示された着衣の適否結果を入力する入力手段を設け、着衣決定手段は前記入力手段に入力された着衣の適否結果により学習する学習機能を備えたものであり、使用者の自覚できない特性や特性の経年変化に対する適合性を的確にするという作用を有する。
【００３３】
以下、本発明の参考の形態および実施の形態について図面を参照しながら説明する。
【００３４】
（参考の形態１）
図１に示す生活アドバイスシステムＡ１の主要構成は、屋内外の温度検知手段として温度センサ部２と、目的地の気象情報入力手段として所要の項目を表示したタッチパネルの気象情報入力部３と、温度センサ部２及び気象情報入力部３と送信線４によって接続する演算手段としてのマイクロコンピュータ回路による演算部５と、この演算部５での演算結果による温度差の表示手段としての温度表示部６を備えている。気象情報入力部３と演算部５と温度表示部６は同一の筐体、本体７に収納され、居間等の居室の壁に設置されている。温度センサ部２は建物の外側の温度センサ２ａと、建物内各室のそれぞれに温度センサ２ｂ、２ｃ、２ｄ、２ｘを設けて演算部５に接続している。温度センサ２ｂは本体７の設置されている居室の雰囲気温度を測定し、温度表示部６は液晶パネルにより文字及び画像による温度情報の表示がされる。
【００３５】
上記構成において、屋外の温度センサ２ａ並びに屋内各室毎の温度センサ２ｂ、２ｃ、２ｄ、２ｘからの温度信号によって、演算部５では居室の温度センサ２ｂの検知温度を基準とし、各室との温度差並びに屋外との温度差を演算し、この演算された温度差が各室の温度及び屋外温度と共に温度表示部６の液晶パネルに表示される。文字による表示結果の一例を図２に示す。使用者は図２のような表示結果から移動先の温度と温度差を確認することにより、外出の計画や身支度の内容の選択が的確にされる。また、気象情報入力部３にテレビや新聞等からの目的地の気象情報を入力することで居室の温度センサ２ｂの検知温度との温度差も温度表示部６に表示されるので、持ち物など旅行等の準備にも役立つものである。
【００３６】
なお、目的地の気象情報の入力については、地域名を入力するだけで、インターネットを通じて、入力した地域の気象情報を入手させることも可能である。
【００３７】
また、屋外の温度センサ２ａに、日射を測定する輻射センサ機能を追加し、日射も表示すれば、輻射の影響も考慮され、より適切な行動が選択される。
【００３８】
（実施の形態１）
図３に示すものは、参考の形態１の生活アドバイスシステムＡ１における演算部５の演算結果を受けて温度差による着衣の選定を行う着衣決定手段としての着衣決定部９を設け、温度差演算並びに着衣決定に関する種々の情報を入力するようにした生活アドバイスシステムＢ８である。
【００３９】
すなわち、着衣決定に関する種々の情報の入力手段として、使用者の移動先（室間移動か外出か旅行か）を選択するための入力部１０ａ、使用者を識別するための入力部１０ｂ、使用者の感覚特性を入力するための入力部１０ｃ、決定着衣の適否結果を入力するための入力部１０ｄを含んだ入力タッチパネル部１０を設け、使用者の感覚特性を入力するための入力部１０ｃ及び決定着衣の適否結果を入力するための入力部１０ｄより入力された情報の記憶手段として固有情報記憶部１１が着衣決定部９に接続される。更に着衣決定部９には固有情報記憶部１１に平行して、体調判断手段としての体調判断部１２が接続され、体調判断部１２には生理量平常値の記憶手段としての生理情報記憶部１３が接続される。また、生理量平常値の入力手段としての生理情報入力部１４によって生理量平常値が入力される。一方、生理量検知部１５を設けて現在の生理量検知手段とし、皮膚に接触する生体情報センサ１６によって体温、心拍数或いは発汗量等を検出し、検出した生体情報は体調判断部１２に送信される。
【００４０】
この構成により、前もって入力タッチパネル部１０によって固有情報記憶部１１へ、使用者の感覚特性を入力するための入力部１０ｃから暑がり寒がりなど温度感覚に関するデータを入力しておく。そして使用者が移動先を選択するための入力部１０ａから室間移動、外出あるいは旅行の移動先を入力し、使用者を識別するための入力部１０ｂからシステムの使用者名を入力すると、演算部５では入力された移動先と移動元の居室との温度差が算出され、次に着衣決定部９では算出された温度差から着衣等の選択を行い着衣表示部１７に表示される。その時着衣決定部９では使用者名に応じて固有情報記憶部１１に記憶された使用者の感覚特性により着衣は補正される。着衣決定部９での温度差による着衣の選定については、着衣量と室温を変数として標準的な室内作業、相対湿度、気流のときの関係を示した「新標準有効温度線図」（温熱生理学、理工学社、中山昭雄編、Ｐ．６５、図２．２５）により、温度差から着衣量を算出し、記憶している各種衣服の着衣量データベース（人間−熱環境系、日刊工業新聞社、人間−熱環境系編集委員会編、Ｐ．２５０，表４．５．１）から着衣を決定できる。
【００４１】
表示された着衣で行動し不満のある場合には、居室に戻った後、その適否、例えば暑い、寒い等の結果を入力タッチパネル部１０の決定着衣の適否結果を入力するための入力部１０ｄへ入力する。これが繰返されることで着衣決定部９に温度差と着衣量の関係を使用者の感覚特性や体調で補正する学習機能を持たせているものである。
【００４２】
生理量検知部１５の生体情報センサ１６は、身体の皮膚に接触して体温、心拍数或いは発汗度合等を検出し、体調判断部１２に送信する。そして体調判断部１２は生理情報記憶部１３の生理量平常値データと比較し、着衣決定部９へ補正情報として送信する。例えば、生理量として体温を検出する場合、生理情報記憶部１３には、前もって入力された平常時の体温ｔ℃が記憶されている。使用者が生体情報センサ１６に触れる、あるいは装着することにより、現在の体温Ｔ℃を検出する。体調判断部１２では、平常時の体温ｔ℃と現在の体温Ｔ℃を比較し、差が０．２℃以下なら、「良い体調」と判断し着衣決定部９への補正情報はなく、差が０．２〜０．５℃なら「微熱」と判断し着衣決定部９へ補正情報として「１枚余分に」に相当する信号を送信し、差が１℃以上なら「悪い体調」と判断し着衣決定部９へ補正情報として「外出は避けましょう」に相当する信号を送信し、着衣表示部１７で注意表示を行う。
【００４３】
このようにして決定される生活アドバイスは寒暑に対する皮膚感覚の感度が減退し、行動範囲が狭くかつ外出の頻度が少なくなった高齢者等の熱的ストレスを緩和するとともに風邪の予防等健康に留意するものである。
【００４４】
また、使用者の特性を前もって入力し、記憶することにより、使用者の特性に適した身支度等の行動を助言できるものである。
【００４５】
また、使用者を識別し、複数の使用者の特性を記憶することにより、家族全員の特性に適した身支度等の行動を助言できるものである。
【００４６】
なお、生理量検知部１５については、入力タッチパネル部１０、あるいは生理情報入力部１４に内蔵させ、入力時等に指先で生体情報を検知したり、腕時計型、指輪型等の形状とすれば簡単に装着でき、利便性がよい。
【００４７】
また、使用者の識別には、指紋や虹彩等による自動認証を使用することも可能である。
【産業上の利用可能性】
【００４８】
以上のように本発明に係る生活アドバイスシステムは、屋内各室及び屋外との温度差によって着衣の選択や外出の計画と外出支度の内容の選択が的確にでき、また使用者のための行動アドバイスを告知するようにしたものであり、寒暑に対する皮膚感覚の感度が減退し、且つ外出の頻度が少なく行動範囲が狭くなっている使用者の行動を助成できるものであることから、一般家庭をはじめ養護、養老等の福祉関係における用途にも適用できる。
【図面の簡単な説明】
【００４９】
【図１】本発明の参考の形態１の生活アドバイスシステム構成ブロック図
【図２】同参考の形態１の生活アドバイスシステムの温度表示の１例を示す図
【図３】同実施の形態１の生活アドバイスシステム構成ブロック図
【図４】従来の屋外環境情報を通知する空気調和機の構成ブロック図
【符号の説明】
【００５０】
１  生活アドバイスシステムＡ
２  温度センサ部
３  気象情報入力部
４  送信線
５  演算部
６  温度表示部
７  本体
８  生活アドバイスシステムＢ
９  着衣決定部
１０  入力タッチパネル部
１１  固有情報記憶部
１２  体調判断部
１３  生理情報記憶部
１４  生理情報入力部
１５  生理量検知部
１６  生体情報センサ
１７  着衣表示部
【図１】
0004675570.tif 000002
【図２】
0004675570.tif 000003
【図３】
0004675570.tif 000004
【図４】
0004675570.tif 000005